【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
コーディングされたベース上の位置データを検出するように設計されている少なくとも一つのディジタルユニットであって、前記コーディング済みベースが、グラフィック情報を定義するグラフィックオブジェクトから部分的に生成される、ディジタルユニットと、
前記位置データを前記ディジタルユニットから受信して、前記位置データを所定のルールに従って処理するように設計されている少なくとも一つの処理ユニットであって、前記システム中の各グラフィックオブジェクトが、前記ルールを定義するために前記少なくとも一つの処理ユニットに割り当てられるルールオブジェクトに対応している、処理ユニットとを備える情報処理システム中の装置であって、
グラフィックオブジェクトを受信してストアするための第一のインタフェースと、このようにしてストアされたグラフィックオブジェクトを暴露して読み取るための第二のインタフェースとを持つストレージユニットと、
現行のグラフィックオブジェクトに対する位置データを位置データバンクからコマンドによって割り当て、また、前記割り当てられた位置データを現行のグラフィックオブジェクトと関連付ける割り当てデータを前記システム中に提供するように設計されている割り当てユニットと
を備え、
前記装置は、前記ストレージユニットの第二のインタフェースによって現行のグラフィックオブジェクトを選択して、前記割り当てユニットによって前記割り当てられた位置データを割り当て、こうすることによって、前記グラフィック情報と前記割り当てられた位置データとを、前記コーディング済みベースを形成するためにサブストレートに適用することを可能とする装置。
【請求項２】
前記システム中にある複数の処理ユニットの内の現行の処理ユニットに対して、前記ディジタルユニットから前記位置データを前記割り当てデータに基づいて出力するように設計されている出力ユニットをさらに備え、前記処理ユニットが前記現行のグラフィックオブジェクトに対応するルール・オブジェクトに割り当てられ
る、請求項１に記載の装置。
【請求項３】
前記割り当てデータが、前記割り当てられた位置データをアドレス識別子を介して前記現行のグラフィックオブジェクトと関連づけ、前記アドレス特定手段が前記現行の処理ユニットのネットワークアドレスと関連づけられる、請求項２に記載の装置。
【請求項４】
前記出力ユニットが、前記位置データの少なくともサブ集合を前記ディジタルユニットから受信し、現行の処理ユニットに対する前記アドレス識別子を前記位置データに基づいて識別し、前記アドレス識別子を前記ディジタルユニットに送るように設計されている、請求項３に記載の装置。
【請求項５】
前記割り当てユニットが、前記アドレス識別子を前記出力ユニットに対して、好ましくは前記出力ユニットからのアドレス問い合わせに応答して、また、前記アドレス問い合わせに含まれる位置データに基づいて、転送するようになっている、請求項４に記載の装置。
【請求項６】
各グラフィックオブジェクトが前記ストレージユニット中のそれぞれのアドレス識別子と関連しており、前記ストレージユニットが、現行の処理ユニットに対する前記アドレス識別子を前記割り当てユニットに転送するようになっている、請求項５に記載の装置。
【請求項７】
前記ストレージユニットが、前記第二のインタフェースから現行のグラフィックオブジェクトが読み取られるとそれに関連して前記アドレス識別子を提供するようになっており、また、前記割り当てユニットが、現行のグラフィックオブジェクトに対する位置データが割り当てられるとそれに関連して前記アドレス識別子を受信するようになっている、請求項６に記載の装置。
【請求項８】
前記出力ユニットが、前記割り当てデータを前記割り当てユニットからフェッチして、前記割り当てデータの少なくともサブ集合を、現行の処理ユニットに転送されるように、前記ディジタルユニットに送るように設計されている、請求項２から７のいずれか一項に記載の装置。
【請求項９】
前記現行の処理ユニットが、前記位置データを前記ディジタルユニットから受信すると、前記割り当てデータの少なくともサブ集合をフェッチするように設計されている、請求項２から７のいずれか一項に記載の装置。
【請求項１０】
前記割り当てデータが、現行のグラフィックオブジェクトと関連するオブジェクト識別子を含む、請求項１から９のいずれか一項に記載の装置。
【請求項１１】
前記現行の処理ユニットが、前記位置データを前記少なくとも一つのディジタルユニットから受信したら、前記オブジェクト識別子に基づいて前記割り当てられたルールオブジェクトを識別することを許容する、請求項１０に記載の装置。
【請求項１２】
各グラフィックオブジェクトが、前記システム中で本質的に固有であるオブジェクト識別子に割り当てられる、請求項１０又は１１に記載の装置。
【請求項１３】
前記システム中のオブジェクト識別子の全てが、前記ストレージユニット中に少なくともストアされる、請求項１２に記載の装置。
【請求項１４】
前記装置は、現行のグラフィックオブジェクトを前記のように選択することを、選択されたグラフィックオブジェクトに対するオブジェクト識別子が前記ストレージユニット中にストアされているオブジェクト識別子の内の一つに対応している場合にだけ許容する、請求項１３に記載の装置。
【請求項１５】
前記オブジェクト識別子が関連のグラフィックオブジェクト中に組み込まれる、請求項１０から１４のいずれか一項に記載の装置。
【請求項１６】
前記オブジェクト識別子がグラフィックオブジェクトに基づいて計算可能である、請求項１０から１４のいずれか一項に記載の装置。
【請求項１７】
前記ストレージユニットの前記第二のインタフェースに接続され、また、前記グラフィックオブジェクトを暴露するディスプレイと、前記ディスプレイ上に暴露されたグラフィックオブジェクトの内から現行のグラフィックオブジェクトを選択する手段とを含むプラウザユニットをさらに備える、請求項１から１６のいずれか一項に記載の装置。
【請求項１８】
前記グラフィック情報と前記位置データとを前記サブストレート上にオンデマンドで印刷することによって、コーディング済みベースを生成するようになっている、請求項１から１７のいずれか一項に記載の装置。
【請求項１９】
前記位置データが、前記少なくとも一つのディジタルユニットによって読み取り可能なコンピュータ読み取り可能位置コードという形態でコーディング済みベース中に組み込まれる、請求項１から１８のいずれか一項に記載の装置。
【請求項２０】
前記ストレージユニットが、第一のフォーマットから第二のフォーマットにグラフィックオブジェクトを変換するようになっているフォーマットコンバータを備えた、請求項１から１９のいずれか一項に記載の装置。
【請求項２１】
第一のフォーマットがＰＮＧ、ＪＰＥＧ、ＧＩＦ、ＴＩＦＦ又はＰＤＦなどの画像ファイルフォーマットであり、第二のフォーマットがＰｏｓｔｓｃｒｉｐｔやＰＣＬなどのプリントファイルフォーマットである、請求項２０に記載の装置。
【請求項２２】
前記ストレージユニットが、前記グラフィックオブジェクトから前記ルールオブジェクトを生成するように設計されているルールオブジェクトジェネレータを備え、また、前記ストレージユニットが、このように生成されたルールオブジェクトを前記システム中に提供するようになっている、請求項１から２１のいずれか一項に記載の装置。
【請求項２３】
コーディングされたベース上の位置データを検出するように設計されているディジタルユニットであって、前記コーディング済みベースはその各々が、グラフィック情報を定義するグラフィックオブジェクトから部分的に生成される、ディジタルユニットと、
前記位置データを前記ディジタルユニットから受信して、前記位置データを所定のルールに従って処理するように設計されている複数の処理ユニットと
を備える情報処理システム中の装置であって、
現行のグラフィックオブジェクトに対する位置データを位置データバンクからコマンドによって割り当て、また、前記割り当てられた位置データを現行のグラフィックオブジェクトと関連付ける割り当てデータを前記システム中に提供する割り当てユニットと、
前記ディジタルユニットから前記位置データを、前記システム中の前記複数の処理ユニットの内の現行の処理ユニットに前記割り当てデータに基づいて出力する出力ユニットと
を備え、前記装置が、前記割り当てユニットによって、前記割り当てられた位置データを提供し、また、このようにして、前記グラフィック情報と前記割り当てられた位置データとを、前記コーディング済みベースの内の一つを形成するためにサブストレートに適用することを許容する装置。
【請求項２４】
前記割り当てデータが、前記システム中の現行のグラフィックオブジェクトを識別するオブジェクト識別子を含む、請求項２３に記載の装置。
【請求項２５】
前記割り当てユニットが、位置データを割り当てるコマンドと一緒に前記オブジェクト識別子を受信するように構成されている、請求項２４に記載の装置。
【請求項２６】
前記出力ユニットが、各オブジェクト識別子と前記処理ユニットの内の一つのユニットのネットワークアドレスとの間の関連性を受信してストアするように構成されている、請求項２４又は２５に記載の装置。
【請求項２７】
前記割り当てデータが、位置データの割り当てを識別するインスタンス識別子を含む、請求項２３から２６のいずれか一項に記載の装置。
【請求項２８】
前記インスタンス識別子が、グラフィック情報と一緒にサブストレートに適用されることになっている、さらなるグラフィックデータを識別し、それによって前記装置は、現行の処理ユニットが前記関連性データに基づいて前記さらなるグラフィックデータにアクセスすることを許容する、請求項２７に記載の装置。
【請求項２９】
前記インスタンス識別子が前記さらなるグラフィックデータを含む、請求項２７又は２８に記載の装置。
【請求項３０】
コーディングされたベース上の位置データを検出するように設計されているディジタルユニットであって、前記コーディング済みベースはその各々が、グラフィック情報を定義するグラフィックオブジェクトから部分的に生成される、ディジタルユニットと、
前記位置データを前記ディジタルユニットから受信して、前記位置データを所定のルールに従って処理するように設計されている複数の処理ユニットと
を備える情報処理システム中の装置であって、
現行のグラフィックオブジェクトに対する位置データを位置データバンクからコマンドによって割り当て、また、前記現行のグラフィックオブジェクトを表し、前記所定のルールを定義するルールオブジェクトと前記割り当てられた位置データを関連付ける割り当てデータを前記システム中に提供する割り当てユニットを備え、
前記装置が、前記割り当てユニットによって、前記割り当てられた位置データを提供し、また、このようにして、前記グラフィック情報と前記割り当てられた位置データとを、前記コーディング済みベースの内の一つを形成するためにサブストレートに適用することを許容し、
前記装置が、前記割り当てユニットによって前記割り当てデータを提供し、このようにして、前記処理ユニットの内の一つのユニットが、前記位置データを受信すると、前記ルールオブジェクトを得ることを許容する装置。
【請求項３１】
現行のグラフィックオブジェクトを受信してストアするように構成されているストレージユニットをさらに備え、前記装置が、前記ストレージユニットによって、前記現行のグラフィックオブジェクトを前記システム中に提供し、これで、前記処理ユニットの内の一つのユニットが、前記位置データを受信したら、前記現行のグラフィックオブジェクトを得ることを許容する、請求項３０に記載の装置。
【請求項３２】
前記割り当てユニットが、前記ストレージユニット中の現行のグラフィックオブジェクトのロケーションを識別する所在確認データを前記システム中に提供し、前記装置が、前記割り当てユニットによって前記所在確認データを提供し、これで、前記処理ユニットの内の一つのユニットが、前記位置データを受信したら、前記現行のグラフィックオブジェクトを所在確認することを許容する、請求項３１に記載の装置。
【請求項３３】
コーディングされたベース上の位置データを検出するように設計された少なくとも一つのディジタルユニットと、前記位置データを前記ディジタルユニットから受信して、前記位置データを所定のルールに従って処理するように設計されている処理ユニットと、請求項１から３２のいずれか一項に記載の装置とを備える情報処理システム。
【請求項３４】
情報処理システム中で、位置コーディングされたベースをオンデマンドで生成する方法において、
前記システム中に事前ストアされていて、各々がグラフィック情報を定義し、また、少なくとも一つの目安を前記グラフィック情報に関係付けるルールオブジェクトに対応している、グラフィックオブジェクトの集合から現行のグラフィックオブジェクトが選択されたことを検出するステップと、
位置データバンクから、現行のグラフィックオブジェクトに対する位置データを割り当てるステップと、
前記割り当てられた位置データと、現行のグラフィックオブジェクトによって定義された前記グラフィック情報とを、前記ベースを形成するためにサブストレートに適用するステップと、
前記割り当てられた位置データをグラフィックオブジェクトに関連付け、これで、ベースから読み取られた位置データを、現行のグラフィックオブジェクトに対応するルールオブジェクトを用いて処理することが可能となるようにする割り当てデータを前記システム中に提供するステップと
を含む方法。
【請求項３５】
ルールオブジェクトが、前記少なくとも一つの目安をグラフィック情報中の参照ポイントを基準として定義されているローカル座標系中の少なくとも一つの位置に関係付け、前記方法が、前記読み取られた位置データを、処理に先立って前記ローカル座標系中の少なくとも一つの位置に変換するステップを含む、請求項３４に記載の方法。
【請求項３６】
前記割り当てられた位置データが、所定の位置グループに分割される位置の集合中の少なくとも一つの位置を含み、前記所定の位置グループの参照ポイントに関して各グループで定義されるローカル座標系が設けられ、ルールオブジェクトが前記少なくとも一つの目安を前記ローカル座標系の少なくとも一つの位置に連結し、位置集合の分割処理前に該位置集合の分割のことを知って、前記読み取られた位置データを前記ローカル座標系の少なくとも一つの位置に変換する、
請求項３４に記載の方法。
【請求項３７】
前記割り当てデータが、前記割り当てられた位置データと前記ローカル座標系中の少なくとも一つの対応する位置との間の関係を含み、また、前記読み取られた位置データを変換する前記ステップが、前記割り当てデータに基づいて実行される、請求項３５に記載の方法。
【請求項３８】
前記ルールオブジェクトが、前記目安を、グラフィック情報と前記サブストレート上の割り当てられた位置データとの間の所定の空間的な相関関係を介してグラフィック情報に暗示的に関係付けられている位置データ参照ポイントと関連させて定義する、請求項３４から３７のいずれか一項に記載の方法。
【請求項３９】
前記割り当てデータが、前記システム中の前記ルールオブジェクトの割り当て先の処理ユニットのネットワークアドレスと関連しているアドレス識別子を含む、請求項３４から３８のいずれか一項に記載の方法。
【請求項４０】
前記割り当てデータが、現行のグラフィックオブジェクトと関連しているオブジェクト識別子を含む、請求項３４から３９のいずれか一項に記載の方法。
【請求項４１】
情報処理システム中で、グラフィック情報を担持している一つ以上の位置コーディングされたベースをオンデマンドで印刷することを可能とする方法であって、前記グラフィック情報が、多くの物理ページを定義するグラフィックオブジェクトによって与えられ、
等しいサイズを持つユニットに所定のように分割される位置領域を定義する位置コードを用いるステップと、
グラフィックオブジェクトに基づいて、前記ユニットの内のどれか一つのユニット中の参照ポイントを基準として定義されているローカル座標系中の少なくとも一つのポイントに対して少なくとも一つの目安を関係付けるルールオブジェクトを生成するステップと、
グラフィックオブジェクトによって定義された各物理ページに対して一つのユニットをコマンドで割り当てるステップと、
前記一つ以上の位置コーディング済みベースの印刷に用いられる、各割り当て済みユニットに対する位置データを前記システム中に提供するステップと、
各割り当て済みユニットの位置データをルールオブジェクトに関連付ける割り当てデータを生成するステップと、
前記一つ以上の位置コーディング済みベース上で検出された位置データを受信する処理ユニットによって用いられる前記ルールオブジェクトと前記割り当てデータとを本システム中に提供するステップと
を含む方法。
【請求項４２】
前記割り当てデータによって、処理ユニットは、前記位置データを受信すると、ルールオブジェクトを得ることが許容される、請求項４１に記載の方法。
【請求項４３】
ストレージユニットによって現行のグラフィックオブジェクトを前記システム中に提供するステップと、処理ユニットが、前記位置データを受信したら、前記ストレージユニットから現行のグラフィックオブジェクトを得ることを許容するステップとをさらに含む、請求項４１又は４２に記載の方法。
【請求項４４】
前記ストレージユニット中の現行のグラフィックオブジェクトのロケーションを識別する所在確認用データを前記システム中に提供するステップと、処理ユニットが、前記位置データを受信したら、現行のグラフィックオブジェクトの所在確認することを許容するステップとをさらに含む、請求項４１から４３のいずれか一項に記載の方法。
【請求項４５】
情報処理システム中で、グラフィック情報を担持している一つ以上の位置コーディングされたベースをオンデマンドで印刷することを可能とする方法であって、前記グラフィック情報が、グラフィックオブジェクトによって与えられ、前記システムが、前記位置コーディング済みベース上でディジタルユニットによって検出された位置データを受信し、また、前記受信された位置データを所定のルールに従って処理するように設計されている複数の処理ユニットを備え、
位置データバンクからの現行のグラフィックオブジェクトに対する位置データをコマンドで割り当てるステップと、
前記一つ以上の位置コーディング済みベースの印刷に用いられるように、前記割り当てられた位置データを前記システム中に提供するステップと、
前記割り当てられた位置データを現行のグラフィックオブジェクトに関連付ける割り当てデータを生成するステップと、
前記ディジタルユニットの内の一つによって検出された位置データを、前記システム中の前記複数の処理ユニットの内の現行の処理ユニットに対して前記割り当てデータに基づいて出力するステップと
を含む方法。
【請求項４６】
本システム中の現行のグラフィックオブジェクトを識別するオブジェクト識別子を、位置データを割り当てるコマンドによって受信するステップと、前記割り当てデータ中に前記オブジェクト識別子を含むステップとをさらに含む、請求項４５に記載の方法。
【請求項４７】
各オブジェクト識別子と前記処理ユニットの内の一つの処理ユニットのネットワークアドレスとの間の関連性をストアするステップをさらに含み、前記出力動作が、前記割り当てデータと前記関連性とに基づいて達成される、請求項４６に記載の方法。
【請求項４８】
位置データの割り当てを識別するインスタンス識別子を生成するステップと、前記インスタンス識別子を前記割り当てデータ中に含むステップとをさらに含む、請求項４５から４７のいずれか一項に記載の方法。
【請求項４９】
グラフィック情報と一緒にベース中に含まれることになっている、さらなるグラフィックデータにインスタンス識別子を関連付け、これによって、前記さらなるグラフィックデータを、前記割り当てデータに基づいて、現行の処理ユニットに対してアクセス可能とするステップをさらに含む、請求項４８に記載の方法。
【請求項５０】
前記さらなるグラフィックデータをインスタンス識別子中に含むステップをさらに含む、請求項４８又は４９に記載の方法。